(57)【要約】タイムドメインシーケンスに基づいてワイヤレス通信システムにおける信号取得のためのパイロットを生成するシステムおよび方法が、説明される。パイロットは、アクセス端末のおのおのにおける信号取得において支援するために、基地局によって生成され、パイロットフィールドにおいて１つまたは複数のアクセス端末に対して送信されることができる。パイロットのうちの１つは、ワイヤレス通信システムにおけるすべてのアクセスポイントに対して共通したものとすることができ、それによってアクセス端末は、基地局の間の干渉変化の影響を最小限にしながら、システムについてのタイミング推定値を取得することができるようになる。さらに、１つまたは複数の生成されたパイロットは、それぞれの各アクセスポイントが、その生成されたパイロットによって識別されることを可能にするために、各アクセスポイントに固有にすることができる。
2009538576.tif 000002
【特許請求の範囲】
【請求項１】
ワイヤレス通信システムにおいて取得パイロットを生成し、送信するための方法であって、
第１のタイムドメインパイロットシーケンスに少なくとも部分的に基づいて第１の取得パイロットを生成することと、なお前記第１のタイムドメインパイロットシーケンスは、前記ワイヤレス通信システムに共通している；
第２のタイムドメインパイロットシーケンスに少なくとも部分的に基づいて第２の取得パイロットを生成することと、なお前記第２のタイムドメインパイロットシーケンスは、前記ワイヤレス通信システムのすべてよりも少ないものを含む前記ワイヤレス通信システムのサブセットに共通している；
第３のタイムドメインパイロットシーケンスに少なくとも部分的に基づいて第３の取得パイロットを生成することと、なお前記第３のタイムドメインパイロットシーケンスは、前記ワイヤレス通信システムのすべてよりも少ないものを含む前記ワイヤレス通信システムのサブセットに共通している；
パイロットフィールドにおいて１つまたは複数のアクセス端末に対して前記の第１、第２、および第３のタイムドメインパイロットシーケンスを送信することと；
を備える方法。
【請求項２】
前記第１の取得パイロットは、時間において周期的である、請求項１に記載の方法。
【請求項３】
前記第１の取得パイロットの各周期は、擬似雑音（ＰＮ）シーケンスと、汎用チャープ状（ＧＣＬ）シーケンスと、チューシーケンスと、のうちの１つまたは複数を備える、請求項２に記載の方法。
【請求項４】
前記の第１および第２の取得パイロットは、等しいあらかじめ決定された長さを有し、前記第３の取得パイロットは、時間において前記第１の取得パイロットの１周期に実質的に等しいあらかじめ決定された長さを有する、請求項２に記載の方法。
【請求項５】
前記の前記第２の取得パイロットを生成することは、前記取得パイロットを生成するエンティティについての識別子に少なくとも部分的に基づいて前記第２の取得パイロットを生成することを含み、前記の前記第３の取得パイロットを生成することは、前記取得パイロットを生成する前記エンティティについての前記識別子に少なくとも部分的に基づいて前記第３の取得パイロットを生成することを含む、請求項１に記載の方法。
【請求項６】
前記取得パイロットを生成する前記エンティティについての前記識別子は、複数のビットを備え、前記第２の取得パイロットは、前記識別子の前記複数のビットのうちの一部分に基づいて生成され、前記第３の取得パイロットは、前記識別子の前記複数のビットのうちの全部に基づいて生成される、請求項５に記載の方法。
【請求項７】
前記第２の取得パイロットと前記第３の取得パイロットとは、ウォルシュシーケンスである、請求項１に記載の方法。
【請求項８】
スクランブリングコードが、前記第２の取得パイロットと前記第３の取得パイロットとに適用され、前記スクランブリングコードは、前記取得パイロットを生成するエンティティから独立している、請求項７に記載の方法。
【請求項９】
前記パイロットフィールドは、スーパーフレームプリアンブルにおいて送信される、請求項１に記載の方法。
【請求項１０】
第１のタイムドメインパイロットシーケンスと、第２のタイムドメインパイロットシーケンスと、第３のタイムドメインパイロットシーケンスと、に関連したデータを記憶するメモリと、なお前記第１のタイムドメインパイロットシーケンスは、ワイヤレス通信装置が動作するシステムに共通しており、前記第２のタイムドメインパイロットシーケンスと、前記第３のタイムドメインパイロットシーケンスとは、前記システムのすべてよりも少ないものを含む、前記システムのサブセットに共通している；
前記第１のタイムドメインパイロットシーケンスから第１の取得パイロットを生成するように、前記第２のタイムドメインパイロットシーケンスから第２の取得パイロットを生成するように、前記第３のタイムドメインパイロットシーケンスから第３の取得パイロットを生成するように、そして前記３つの生成された取得パイロットを端末に対して送信するように、構成されたプロセッサと；
を備えるワイヤレス通信装置。
【請求項１１】
前記プロセッサは、さらに、前記ワイヤレス通信装置が動作するネットワークについてのタイミング情報を供給するために前記第１の取得パイロットを生成するように、構成されている、請求項１０に記載のワイヤレス通信装置。
【請求項１２】
前記第１の取得パイロットは、時間において周期的であり、あらかじめ決定された数の周期に等しい長さを有する、請求項１０に記載のワイヤレス通信装置。
【請求項１３】
前記第１の取得パイロットの各周期は、ＧＣＬシーケンスである、請求項１０に記載のワイヤレス通信装置。
【請求項１４】
前記メモリは、さらに、前記ワイヤレス通信装置についての識別子に関連したデータを記憶し、前記プロセッサは、さらに、前記ワイヤレス通信装置についての１つまたは複数の識別情報とタイミング情報とを供給するために前記識別子に基づいて前記第２の取得パイロットと前記第３の取得パイロットとを生成するように、構成されている、請求項１０に記載のワイヤレス通信装置。
【請求項１５】
前記プロセッサは、さらに、前記ワイヤレス通信装置の識別を容易にする階層的検索情報を供給するために前記第２の取得パイロットと前記第３の取得パイロットとを生成するように、構成されている、請求項１４に記載のワイヤレス通信装置。
【請求項１６】
前記第２の取得パイロットと前記第３の取得パイロットとは、ウォルシュシーケンスである、請求項１４に記載のワイヤレス通信装置。
【請求項１７】
前記メモリは、さらに、前記ワイヤレス通信装置についての前記識別子とは独立しているスクランブリングコードに関連したデータを記憶し、前記プロセッサは、さらに、前記スクランブリングコードに基づいて前記第２の取得パイロットと前記第３の取得パイロットとを生成するように、構成されている、請求項１６に記載のワイヤレス通信装置。
【請求項１８】
ワイヤレス通信ネットワークにおいてパイロットシーケンスの生成および送信を容易にする装置であって、
前記ワイヤレス通信ネットワークに共通している第１のタイムドメインパイロットシーケンスを生成するための手段と、
前記ワイヤレス通信ネットワークのすべてよりも少ないものに共通している第２のタイムドメインパイロットシーケンスを生成するための手段と、
前記ワイヤレス通信ネットワークのすべてよりも少ないものに共通している第３のドメインパイロットシーケンスを生成するための手段と、
前記生成されたタイムドメインパイロットシーケンスを１つまたは複数のユーザに対して送信するための手段と、
を備える装置。
【請求項１９】
前記第１のタイムドメインパイロットシーケンスは、時間において周期的である、請求項１８に記載の装置。
【請求項２０】
１つまたは複数の前記第２のタイムドメインパイロットシーケンスと前記第３のタイムドメインパイロットシーケンスとは、前記装置を識別する、請求項１８に記載の装置。
【請求項２１】
ワイヤレス通信環境において信号取得のための情報を生成し送信するためのコンピュータ実行可能命令を記憶しているコンピュータ可読媒体であって、前記命令は、
タイムドメインにおける１つまたは複数のシーケンスに基づいて第１の取得パイロット、第２の取得パイロット、および第３の取得パイロットを生成することと、なお前記第１の取得パイロットが基づいている少なくとも１つのシーケンスは、前記ワイヤレス通信環境に共通している；
前記生成された取得パイロットを端末に対して送信することと；
を備える、
コンピュータ可読媒体。
【請求項２２】
前記第１の取得パイロットは、周期的シーケンスを備える、請求項２１に記載のコンピュータ可読媒体。
【請求項２３】
前記第２の取得パイロットと前記第３の取得パイロットとは、前記取得パイロットを生成するエンティティについての識別情報を備える、請求項２１に記載のコンピュータ可読媒体。
【請求項２４】
ワイヤレス通信ネットワークにおいて取得情報を供給するためのコンピュータ実行可能命令を実行するプロセッサであって、前記命令は、
第１のタイムドメインシーケンスに少なくとも部分的に基づいて第１の取得パイロットを生成することと、
第２のタイムドメインシーケンスと、前記取得パイロットを生成するエンティティについての識別子と、に少なくとも部分的に基づいて第２の取得パイロットを生成することと、
第３のタイムドメインシーケンスと、前記取得パイロットを生成する前記エンティティについての前記識別子と、に少なくとも部分的に基づいて第３の取得パイロットを生成することと、
を備える、
プロセッサ。
【請求項２５】
前記命令は、前記の第１、第２、および第３の取得パイロットをパイロットフィールドにおいて１つまたは複数のアクセス端末に対して送信すること、をさらに備える、請求項２４に記載のプロセッサ。
【請求項２６】
ワイヤレス通信システムにおける信号取得のための方法であって、
第１のタイムドメイン取得パイロット、第２のタイムドメイン取得パイロット、および第３のタイムドメイン取得パイロットを検出することと、
前記検出されたタイムドメイン取得パイロットに少なくとも部分的に基づいて通信のためのアクセスポイントを識別することと、
前記検出されたタイムドメイン取得パイロットに少なくとも部分的に基づいて通信のための前記識別されたアクセスポイントと同期化することと、
を備える方法。
【請求項２７】
前記の検出することは、
１つまたは複数の信号を受信することと、
前記１つまたは複数の信号に関して相互に関係づけることと、
前記相関に基づいて、前記１つまたは複数の信号が、１つまたは複数のタイムドメイン取得パイロットを備えるかどうかを決定することと、
を含む、
請求項２６に記載の方法。
【請求項２８】
前記の前記１つまたは複数の信号に関して相互に関係づけることは、遅延相関アルゴリズムに基づいて前記１つまたは複数の信号に関して相互に関係づけることを含む、請求項２７に記載の方法。
【請求項２９】
前記第２のタイムドメイン取得パイロットと前記第３のタイムドメイン取得パイロットとは、ウォルシュシーケンスであり、前記の前記１つまたは複数の信号に関して相互に関係づけることは、ウォルシュ−アダマール変換に少なくとも部分的に基づいて同時に前記１つまたは複数の信号に関して相互に関係づけることを含む、請求項２７に記載の方法。
【請求項３０】
前記第２のタイムドメイン取得パイロットと前記第３のタイムドメイン取得パイロットとは、通信のための前記アクセスポイントについての識別子に少なくとも部分的に基づいており、通信のためのアクセスポイントを識別することは、前記識別子に基づいて通信のための前記アクセスポイントを識別することを含む、請求項２６に記載の方法。
【請求項３１】
前記第２のタイムドメイン取得パイロットは、前記識別子の一部分に基づいており、前記第３のタイムドメイン取得パイロットは、前記識別子のすべて、または実質的にすべてに基づいており、前記の通信のためのアクセスポイントを識別することは、通信のための前記アクセスポイントについての階層的検索を行うことを含む、請求項３０に記載の方法。
【請求項３２】
前記の前記識別されたアクセスポイントと同期化することは、
前記第１のタイムドメイン取得パイロットに基づいて前記ワイヤレス通信システムのタイミングを決定することと、
前記第２のタイムドメイン取得パイロットと、前記第３のタイムドメイン取得パイロットと、に基づいて前記識別されたアクセスポイントのタイミングを決定することと、
を含む、
請求項２６に記載の方法。
【請求項３３】
メモリと、
前記メモリに結合され、３つのタイムドメイン取得パイロットを備えるパイロットフィールドを検出するように、そして前記パイロットフィールドに少なくとも部分的に基づいて通信のための基地局を識別し、それと同期化するように、構成されたプロセッサと、
を備えるワイヤレス通信装置。
【請求項３４】
前記パイロットフィールドにおける前記タイムドメイン取得パイロットは、階層的検索情報を供給し、前記プロセッサは、さらに、前記階層的検索情報を使用して通信のための前記基地局について検索することにより、少なくとも部分的に通信のための前記基地局を識別するように、構成されている、請求項３３に記載のワイヤレス通信装置。
【請求項３５】
前記パイロットフィールドにおける１つまたは複数の前記タイムドメイン取得パイロットは、ウォルシュシーケンスであり、前記プロセッサはさらに、少なくとも部分的にウォルシュ−アダマール変換を使用することにより前記パイロットフィールドを検出するように、構成されている、請求項３３に記載のワイヤレス通信装置。
【請求項３６】
ワイヤレス通信ネットワークにおいて信号取得を容易にする装置であって、
第１のタイムドメインパイロットシーケンスに少なくとも部分的に基づいて第１の取得パイロットを検出するための手段と、
第２のタイムドメインパイロットシーケンスに少なくとも部分的に基づいて第２の取得パイロットを検出するための手段と、
第３のタイムドメインパイロットシーケンスに少なくとも部分的に基づいて第３の取得パイロットを検出するための手段と、
前記検出された取得パイロットに対応するエンティティを識別するための手段と、
前記検出された取得パイロットに対応する前記エンティティと同期化するための手段と、
を備える装置。
【請求項３７】
ワイヤレス通信環境において通信のための情報を取得するためのコンピュータ実行可能命令を記憶しているコンピュータ可読媒体であって、前記命令は、
各取得パイロットがタイムドメインにおける１つまたは複数のシーケンスに基づいている、第１の取得パイロット、第２の取得パイロット、および第３の取得パイロットを検出することと、
前記検出された取得パイロットに基づいて通信のためのアクセスポイントを識別することと、
前記検出された取得パイロットに基づいて前記識別されたアクセスポイントに対応するタイミング情報を取得することと、
を備える、
コンピュータ可読媒体。
【請求項３８】
前記の検出することは、
第１の取得パイロットを検出しようと試みることと、
前記第１の取得パイロットが検出される場合に、第２の取得パイロットを検出しようと試みることと、
前記第２の取得パイロットが検出される場合に、第３の取得パイロットを検出しようと試みることと、
を含む、
請求項３７に記載のコンピュータ可読媒体。
【請求項３９】
前記のタイミング情報を取得することは、
前記ワイヤレス通信環境についてのグローバルタイミング情報を取得することと、
前記識別されたアクセスポイントについての微細タイミング情報を取得することと、
を含む、
請求項３７に記載のコンピュータ可読媒体。
【請求項４０】
ワイヤレス通信システムにおいて通信のための信号を取得するためのコンピュータ実行可能命令を実行するプロセッサであって、前記命令は、
第１のタイムドメインパイロットシーケンスと、第２のタイムドメインパイロットシーケンスと、第３のタイムドメインパイロットシーケンスとを備えるパイロットフィールドを検出することと、なお前記第１のタイムドメインパイロットシーケンスは、前記ワイヤレス通信システムに共通している；
前記検出されたパイロットフィールドに少なくとも部分的に基づいて基地局との通信のための接続を確立することと；
を備える、
プロセッサ。
【請求項４１】
前記の通信のための接続を確立することは、前記基地局を識別することと、前記基地局と同期化することと、を含む、請求項４０に記載のプロセッサ。
【発明の詳細な説明】
【相互参照】
【０００１】
本願は、その全体が参照によりここにおいて組み込まれている、「ワイヤレス通信システムにおける信号取得(SIGNAL ACQUISITION IN A WIRELESS COMMUNICATION SYSTEM)」と題された、２００６年５月２２日に出願された米国仮出願第６０／８０２，６２８号の利益を主張するものである。
【背景】
【０００２】
［Ｉ．分野］
本開示は、一般にワイヤレス通信に関し、より詳細にはワイヤレス通信システムにおける信号取得(signal acquisition)のための技法に関する。
【０００３】
［ＩＩ．背景］
ワイヤレス通信システムは、様々な通信サービスを提供するために広く展開され、例えば、音声サービス、ビデオサービス、パケットデータサービス、ブロードキャストサービス、およびメッセージングサービスは、そのようなワイヤレス通信システムを経由して提供されることができる。これらのシステムは、使用可能なシステムリソースを共用することにより複数の(multiple)端末のための通信をサポートすることができる多元接続システム(multiple-access system)とすることができる。そのような多元接続システムの例は、符号分割多元接続(Code Division Multiple Access)（ＣＤＭＡ）システムと、時分割多元接続(Time Division Multiple Access)（ＴＤＭＡ）システムと、周波数分割多元接続(Frequency Division Multiple Access)（ＦＤＭＡ）システムと、直交周波数分割多元接続(Orthogonal Frequency Division Multiple Access)（ＯＦＤＭＡ）システムと、を含む。
【０００４】
ワイヤレス通信システムにおいては、基地局は、一般的に変調シンボルを取得するように、データを処理し（例えば、符号化し、そしてシンボルマッピングし(symbol map)）、次いで被変調信号を生成するようにその変調シンボルをさらに処理する。次いで基地局は、一般的に通信チャネルを経由して被変調信号を送信する。さらに、そのようなシステムは、多くの場合に、データが、各フレームが特定の存続時間を有する複数のフレームの形で送信される送信スキームを使用する。
【０００５】
システムの中のワイヤレス端末は、たとえあるとしてもその付近に近くのどの基地局が送信しているかを知らない可能性がある。さらに、端末は、与えられた基地局についての各フレームの開始、各フレームが基地局によって送信される時刻、あるいは通信チャネルによって導入される伝搬遅延、について知らない可能性がある。したがって、端末は、システムの中の基地局からの送信について検出するために、そして対象となる検出された各基地局のタイミングおよび周波数に同期化するために信号取得を実行することができる。信号取得プロセス(signal acquisition process)を使用することにより、端末は、検出された基地局のタイミングを確認し、そして基地局についての相補的復調(complementary demodulation)を適切に実行することができる。
【０００６】
一般的に基地局と端末との両方が、信号取得をサポートするためにシステムリソースを消費する。信号取得オーバーヘッドは、データ送信のために必要であるので、基地局と端末との両方によって取得のために使用されるリソースの量を最小限にすることが望ましい。したがって、ワイヤレス通信システムにおける信号取得を効率的に実行する技法についての必要性が当技術分野において存在する。
【発明の概要】
【０００７】
以下は、そのような実施形態の基本的な理解を提供するために、開示される実施形態の簡略化された概要(summary)を提示している。この概要は、必ずしもすべての考えられる実施形態についての広範な概説ではなく、また、主要なあるいは不可欠な要素を識別するようにも、そのような実施形態の範囲を示すようにも意図されてはいない。その唯一の目的は、後で提供されるより詳細な説明に対する前置きとして、開示される実施形態のいくつかの概念を簡略化された形式で提供することである。
【０００８】
説明される実施形態は、タイムドメインパイロットシーケンスに基づいて信号取得プロセスについての取得パイロット(acquisition pilot)を生成することにより、上記の問題を緩和する。取得パイロットは、基地局によって生成され、そして信号取得において支援するために１つまたは複数のアクセス端末に対してパイロットフィールド(pilot field)において送信されることができる。生成されたパイロットは、ワイヤレス通信システムの中のすべての基地局に共通の１つまたは複数のパイロットシーケンスに基づいたものとすることができ、それによってシステムの中の端末は、基地局の間の干渉変化の影響を最小限にしながらシステムについてのタイミング推定値を取得することができるようになる。さらに、１つまたは複数の生成されたパイロットは、各基地局に対して固有のものとすることができ、それによって端末は、通信についての特定の基地局を識別することができるようになる。
【０００９】
一態様によれば、ワイヤレス通信システムにおいて取得パイロットを生成し送信するための方法が、ここにおいて説明される。本方法は、第１のタイムドメインパイロットシーケンスに少なくとも部分的に基づいて第１の取得パイロットを生成することを備えることができ、その第１のタイムドメインパイロットシーケンスは、ワイヤレス通信システムに共通している。さらに、本方法は、第２のタイムドメインパイロットシーケンスに少なくとも部分的に基づいて第２の取得パイロットを生成することを含むこともでき、その第２のタイムドメインパイロットシーケンスは、ワイヤレス通信システムのすべてよりも少ないものを含むワイヤレス通信システムのサブセットに、共通している。本方法は、第３のタイムドメインパイロットシーケンスに少なくとも部分的に基づいて第３の取得パイロットを生成することを含むこともでき、その第３のタイムドメインパイロットシーケンスは、ワイヤレス通信システムのすべてよりも少ないものを含むワイヤレス通信システムのサブセットに、共通している。さらに、本方法は、パイロットフィールドにおいて第１、第２、および第３のタイムドメインパイロットシーケンスを１つまたは複数のアクセス端末に対して送信することを含むことができる。
【００１０】
別の態様は、第１のタイムドメインパイロットシーケンスと、第２のタイムドメインパイロットシーケンスと、第３のタイムドメインパイロットシーケンスと、に関連したデータを記憶するメモリを含むことができるワイヤレス通信装置に関し、ここで、第１のタイムドメインパイロットシーケンスは、ワイヤレス通信装置が動作するシステムに共通しており、第２のタイムドメインパイロットシーケンスと、第３のタイムドメインパイロットシーケンスとは、システムのすべてよりも少ないものを含むシステムのサブセットに、共通している。ワイヤレス通信装置は、第１のタイムドメインパイロットシーケンスから第１の取得パイロットを生成するように、第２のタイムドメインパイロットシーケンスから第２の取得パイロットを生成するように、第３のタイムドメインパイロットシーケンスから第３の取得パイロットを生成するように、そしてそれらの３つの生成された取得パイロットを端末に対して送信するように、構成されたプロセッサ、をさらに含むことができる。
【００１１】
さらに別の態様は、ワイヤレス通信ネットワークにおけるパイロットシーケンスの生成および送信を容易にする装置に関する。本装置は、ワイヤレス通信ネットワークに共通している第１のタイムドメインパイロットシーケンスを生成するための手段を備えることができる。本装置は、ワイヤレス通信ネットワークのすべてよりも少ないものに共通している第２のタイムドメインパイロットシーケンスを生成するための手段を含むこともできる。さらに、本装置は、ワイヤレス通信ネットワークのすべてよりも少ないものに共通している第３のドメインパイロットシーケンスを生成するための手段を含むこともできる。さらに、本装置は、生成されたタイムドメインパイロットシーケンスを１つまたは複数のユーザに対して送信するための手段を含むこともできる。
【００１２】
さらに別の態様は、ワイヤレス通信環境において信号取得のための情報を生成することと送信することのためのコンピュータ実行可能命令を記憶しているコンピュータ可読媒体、に関する。本命令は、タイムドメインにおける１つまたは複数のシーケンスに基づいて第１の取得パイロットと、第２の取得パイロットと、第３の取得パイロットと、を生成することを含むことができ、ここで、第１の取得パイロットが基づいている少なくとも１つのシーケンスは、ワイヤレス通信環境に共通している。さらに、本命令は、生成された取得パイロットを端末に対して送信することを備えることができる。
【００１３】
別の態様によれば、ワイヤレス通信ネットワークにおいて取得情報を供給するためのコンピュータ実行可能命令を実行することができるプロセッサが、ここにおいて説明される。本命令は、第１のタイムドメインシーケンスに少なくとも部分的に基づいて第１の取得パイロットを生成することを含むことができる。さらに、本命令は、取得パイロットを生成するエンティティについての第２のタイムドメインシーケンスと識別子とに少なくとも部分的に基づいて第２の取得パイロットを生成することを備えることができる。さらに、本命令は、取得パイロットを生成するエンティティについての第３のタイムドメインシーケンスと識別子とに少なくとも部分的に基づいて第３の取得パイロットを生成することを含むことができる。
【００１４】
さらに別の態様によれば、ワイヤレス通信システムにおける信号取得のための方法が、ここにおいて説明される。本方法は、第１のタイムドメイン取得パイロットと、第２のタイムドメイン取得パイロットと、第３のタイムドメイン取得パイロットと、を検出することを備えることができる。さらに、本方法は、検出されたタイムドメイン取得パイロットに少なくとも部分的に基づいて通信のためのアクセスポイントを識別することを含むことができる。さらに、本方法は、検出されたタイムドメイン取得パイロットに少なくとも部分的に基づいて通信のための識別されたアクセスポイントと同期化することを含むことができる。
【００１５】
別の態様は、ワイヤレス通信装置に関連しており、このワイヤレス通信装置は、メモリを含むことができ、そしてまた、３つのタイムドメイン取得パイロットを備えるパイロットフィールドを検出するように、そしてそのパイロットフィールドに少なくとも部分的に基づいて通信のための基地局を識別し基地局と同期化するように、構成された、メモリに結合されプロセッサも、含むこともできる。
【００１６】
さらに別の態様は、ワイヤレス通信ネットワークにおける信号取得を容易にする装置に関連する。本装置は、第１のタイムドメインパイロットシーケンスに少なくとも部分的に基づいて第１の取得パイロットを検出するための手段を備えることができる。さらに、本装置は、第２のタイムドメインパイロットシーケンスに少なくとも部分的に基づいて第２の取得パイロットを検出するための手段を含むこともできる。本装置は、第３のタイムドメインパイロットシーケンスに少なくとも部分的に基づいて第３の取得パイロットを検出するための手段を含むこともできる。さらに、本装置は、検出された取得パイロットに対応するエンティティを識別するための手段を含むこともできる。本装置は、検出された取得パイロットに対応するエンティティと同期化するための手段をさらに含むこともできる。
【００１７】
さらに別の態様は、ワイヤレス通信環境における通信のための情報を取得するためのコンピュータ実行可能命令を記憶しているコンピュータ可読媒体に関連する。本命令は、第１の取得パイロット、第２の取得パイロット、および第３の取得パイロットを検出すること、を含むことができ、各取得パイロットは、タイムドメインにおける１つまたは複数のシーケンスに基づいている。本命令は、検出された取得パイロットに基づいて通信のためのアクセスポイントを識別すること、を含むこともできる。さらに、本命令は、検出された取得パイロットに基づいて識別されたアクセスポイントに対応するタイミング情報を取得すること、を含むこともできる。
【００１８】
別の態様によれば、ワイヤレス通信システムにおいて通信のための信号を取得するためのコンピュータ実行可能命令を実行することができるプロセッサが、ここにおいて説明される。本命令は、第１のタイムドメインパイロットシーケンスと、第２のタイムドメインパイロットシーケンスと、第３のタイムドメインパイロットシーケンスと、を備えるパイロットフィールドを検出すること、を備えることができ、ここで第１のタイムドメインパイロットシーケンスは、ワイヤレス通信システムに共通している。さらに本命令は、検出されたパイロットフィールドに少なくとも部分的に基づいて基地局と通信するための接続を確立することを含むこともできる。
【００１９】
上記および関連する目的の達成のために、１つまたは複数の実施形態は、このあと十分に説明され、そして特に特許請求の範囲において指摘される、特徴を備える。以下の説明および添付図面は、開示される実施形態のある種の説明のための態様を詳細に述べる。これらの態様は、様々な実施形態の原理が使用されることができる様々な方法を、しかしながら、それらの少しを示している。さらに、開示された実施形態は、すべてのそのような態様と、それらの同等物(equivalents)とを含むように意図されている。
【図面の簡単な説明】
【００２０】
【図１】ここにおいて述べられる様々な態様に従うワイヤレス多元接続通信システムを示す図である。
【図２】様々な態様に従ってワイヤレス通信システムにおける信号取得を容易にするシステムのブロック図である。
【図３】様々な態様に従う一例のＴＤＭパイロットフィールドを示す図である。
【図４Ａ】様々な態様に従う多元接続ワイヤレス通信システムのための一例のスーパーフレーム構造を示す図である。
【図４Ｂ】様々な態様に従う多元接続ワイヤレス通信システムのための一例のスーパーフレーム構造を示す図である。
【図５Ａ】様々な態様に従う一例の同期式順方向リンクパイロット送信スキームを示す図である。
【図５Ｂ】様々な態様に従う一例のスタッガード順方向リンクパイロット送信スキームを示す図である。
【図５Ｃ】様々な態様に従う一例の同期式順方向リンクパイロット送信スキームを示す図である。
【図５Ｄ】様々な態様に従う一例の時間変化順方向リンクパイロット送信スキームを示す図である。
【図６】ワイヤレス通信システムにおいて取得パイロットを生成し送信するための方法の流れ図である。
【図７】ワイヤレス通信システムにおける信号取得のための方法の流れ図である。
【図８】ここにおいて説明される１つまたは複数の実施形態が機能することができる一例のワイヤレス通信システムを示すブロック図である。
【図９】様々な態様に従ってワイヤレス通信システムにおいて、パイロットシーケンスを生成することと送信することとを調整するシステムのブロック図である。
【図１０】様々な態様に従ってワイヤレス通信システムにおいて信号取得を調整するシステムのブロック図である。
【図１１】様々な態様に従ってワイヤレス通信システムにおいて、取得パイロットを生成することと送信することとを容易にする装置のブロック図である。
【図１２】様々な態様に従ってワイヤレス通信システムにおいて信号取得を容易にする装置のブロック図である。
【詳細な説明】
【００２１】
次に様々な実施形態が、図面を参照して説明され、図面中において同様な参照番号は、全体にわたって同様な要素を意味するように使用される。以下の説明においては、説明の目的のために、多くの具体的な詳細が、１つまたは複数の態様の完全な理解を提供するために述べられる。しかしながら、そのような実施形態（単数または複数）がこれらの具体的な詳細なしに実施されることができることは、明らかでありえる。他の例では、よく知られている構造およびデバイスが、１つまたは複数の実施形態を説明することを容易にするためにブロック図形式で示される。
【００２２】
本願において使用されるように、「コンポーネント」、「モジュール」、「システム」などの用語は、ハードウェア、ファームウェア、ハードウェアとソフトウェアとの組合せ、ソフトウェア、あるいは実行中のソフトウェアのいずれかの、コンピュータに関連したエンティティを意味するように意図される。例えば、コンポーネントは、それだけには限定されないが、プロセッサ上で実行されるプロセス、プロセッサ、オブジェクト、実行形式(executable)、実行スレッド(thread of execution)、プログラム、および／またはコンピュータとすることができる。例として、コンピューティングデバイス上で実行されるアプリケーションも、そのコンピューティングデバイスもコンポーネントとすることができる。１つまたは複数のコンポーネントは、プロセスおよび／または実行スレッドの内部に存在することができ、コンポーネントは、１台のコンピュータ上に局所化され、かつ／または２台以上のコンピュータの間で分散されることができる。さらに、これらのコンポーネントは、様々なデータ構造が記憶されている様々なコンピュータ可読媒体から実行することもできる。コンポーネントは、１つまたは複数のデータパケット（例えば、ローカルシステム、分散システムにおける別のコンポーネントと、かつ／またはインターネットなどのネットワークを通して信号を経由して他のシステムと相互作用する１つのコンポーネントからのデータ）を有する信号などに従って、ローカルおよび／またはリモートのプロセスを経由して通信することができる。
【００２３】
さらに、様々な実施形態が、ワイヤレス端末および／または基地局に関連してここにおいて説明される。ワイヤレス端末は、ユーザに対して音声および／またはデータの接続性を提供するデバイスを意味することができる。ワイヤレス端末は、ラップトップコンピュータやデスクトップコンピュータなどのコンピューティングデバイスに接続されることができ、あるいはそれは、携帯型個人情報端末(personal digital assistant)（ＰＤＡ）など自立型デバイス(self contained device)とすることができる。ワイヤレス端末は、システム、加入者ユニット、加入者局、移動局、モバイル、リモート局、アクセスポイント、リモート端末、アクセス端末、ユーザ端末、ユーザエージェント、ユーザデバイス、またはユーザ装置と呼ばれることもできる。ワイヤレス端末は、加入者局、ワイヤレスデバイス、セルラ電話、ＰＣＳ電話、コードレス電話、セッション開始プロトコル(Session Initiation Protocol)（ＳＩＰ）電話、ワイヤレスローカルループ(wireless local loop)（ＷＬＬ）局、携帯型個人情報端末（ＰＤＡ）、ワイヤレス接続機能を有するハンドヘルドデバイス、またはワイヤレスモデムに接続された他の処理デバイスとすることができる。基地局（例えば、アクセスポイント）は、エアインターフェース(air-interface)上で１つまたは複数のセクタを介してワイヤレス端末と通信するアクセスネットワークの中のデバイスを意味することができる。基地局は、受信されたエアインターフェースフレームをＩＰパケットへと変換することにより、ワイヤレス端末と、インターネットプロトコル(Internet Protocol)（ＩＰ）ネットワークを含むことができるアクセスネットワークの残りと、の間のルータとしての機能を果たすことができる。基地局はまた、エアインターフェースについてのアトリビュートの管理を調整する。
【００２４】
さらに、ここにおいて説明される様々な態様または特徴は、標準のプログラミング技法および／またはエンジニアリング技法を使用した製造の方法、装置、または物品としてインプリメントされることができる。ここにおいて使用されるような用語「製造の物品(article of manufacture)」は、コンピュータ可読な任意のデバイス、キャリア、または媒体からアクセス可能なコンピュータプログラムを包含するように意図される。例えば、コンピュータ可読媒体は、それだけには限定されないが、磁気ストレージデバイス（例えば、ハードディスク、フロッピー（登録商標）ディスク、磁気ストリップ...）、光ディスク（例えば、コンパクトディスク(compact disk)（ＣＤ）、デジタル多用途ディスク(digital versatile disk)（ＤＶＤ）...）、スマートカード、およびフラッシュメモリデバイス（例えば、カード、スティック、キードライブ...）を含むことができる。
【００２５】
様々な実施形態は、複数のデバイス、コンポーネント、モジュールなどを含むことができるシステムの観点から提示されることになる。様々なシステムは、追加のデバイス、コンポーネント、モジュールなどを含むことができ、かつ／または図面に関連して論じられるデバイス、コンポーネント、モジュールなどのすべてを必ずしも含まない可能性があることを、理解し認識すべきである。これらのアプローチの組合せもまた使用されることができる。
【００２６】
次に図面を参照すると、図１は、様々な態様に従うワイヤレス多元接続通信システム１００の説明図である。一例においては、ワイヤレス多元接続通信システム１００は、複数の基地局１１０と、複数の端末１２０とを含む。さらに１つまたは複数の基地局１１０は、１つまたは複数の端末１２０と通信することができる。非限定的な例として、基地局１１０は、アクセスポイント、ノードＢ(Node B)、および／または別な適切なネットワークエンティティとすることができる。各基地局１１０は、特定の地理的区域１０２についての通信カバレージを提供する。ここにおいて、そして一般に当技術分野において使用されるように、用語「セル」は、その用語が使用される文脈に応じて基地局１１０および／またはそのカバレージ区域１０２を意味することができる。システム容量を改善するために、基地局１１０に対応するカバレージ区域１０２は、複数のより小さな区域（例えば、区域１０４ａ、１０４ｂ、および１０４ｃ）へと区分されることができる。より小さな区域１０４ａ、１０４ｂ、および１０４ｃのおのおのは、それぞれのベーストランシーバサブシステム(base transceiver subsystem)（ＢＴＳ、図示されず）によってサーブされることができる。ここにおいて、そして一般に当技術分野において使用されるように、用語「セクタ」は、その用語が使用される文脈に応じてＢＴＳおよび／またはそのカバレージ区域を意味することができる。複数のセクタ１０４を有するセル１０２においては、セル１０２のすべてのセクタ１０４についてのＢＴＳは、セル１０２についての基地局１１０内において同じ場所に配置されることができる。
【００２７】
別の例においては、端末１２０は、システム１００全体を通して分散させられることができる。各端末１２０は、据え置き型、またはモバイルとすることができる。非限定的な例として、端末１２０は、アクセス端末(access terminal)（ＡＴ）、移動局、ユーザ装置、加入者局、および／または別の適切なネットワークエンティティとすることができる。端末は、ワイヤレスデバイス、セルラ電話、携帯型個人情報端末（ＰＤＡ）、ワイヤレスモデム、ハンドヘルドデバイス、あるいは別の適切なデバイスとすることができる。
【００２８】
一態様に従って、例えば、端末１２０が、電力投入され、あるいはシステム１００における新しいセル１０２またはセクタ１０４へと移動するときに、通信のための新しい接続が、基地局１１０と端末１２０との間に確立されることができる。端末１２０が、この接続を使用して基地局１１０と通信することができる前に、端末１２０は一般に、取得として知られているプロセスを介して基地局１１０についてのタイミングおよび識別の情報を決定する必要がある。取得において支援するために、基地局１１０は、１つまたは複数の取得パイロットを送信することができる。伝統的に、基地局１１０は、ビーコン、周波数ドメイン擬似雑音（ＰＮ）シーケンス、または汎用チャープ状(generalized chirp like)（ＧＣＬ）シーケンスの形態で取得パイロットを送信することができる。しかしながら、これらの伝統的なパイロットフォーマットのおのおのは、いくつかのシナリオにおいて異なる利点を提供するが、それらは、すべてかなりの欠点を有する。例えば、ビーコンは、大きな干渉変化を有するシステムにおいては非常に貧弱に実行する可能性があり、周波数ドメインＰＮシーケンスは、貧弱なピーク対平均(peak-to-average)（ＰＡＲ）特性を有する可能性があり、ＧＣＬシーケンスは、数が制限され、それ故にネットワークプランニング(network planning)を必要とする。したがって、伝統的なパイロットフォーマットに関連する欠陥を克服するために、基地局１１０は、ここにおいて説明される様々な態様に従って信号取得を容易にするために１つまたは複数のタイムドメインパイロット（例えば、時分割多重化（ＴＤＭ）パイロット）を利用することができる。
【００２９】
一例においては、システム１００は、ＣＤＭＡ、ＴＤＭＡ、ＦＤＭＡ、ＯＦＤＭＡ、単一キャリアＦＤＭＡ(Single-Carrier FDMA)（ＳＣ−ＦＤＭＡ）、および／または他の適切な多元接続スキームなど、１つまたは複数の多元接続スキームを利用することができる。ＯＦＤＭＡは、直交周波数分割多重化(Orthogonal Frequency Division Multiplexing)（ＯＦＤＭ）を利用しており、ＳＣ−ＦＤＭＡは、単一キャリア周波数分割多重化(Single-Carrier Frequency Division Multiplexing)（ＳＣ−ＦＤＭ）を利用する。ＯＦＤＭとＳＣ−ＦＤＭとは、システム帯域幅を複数の直交サブキャリア（例えば、トーン、ビン、...）へと区分することができ、それらのおのおのは、データを用いて変調されることができる。一般的に、変調シンボルは、ＯＦＤＭでは周波数ドメインにおいて、そしてＳＣ−ＦＤＭではタイムドメインにおいて送信される。追加して、かつ／または代わりに、システム帯域幅は、１つまたは複数の周波数キャリアへと分割されることができ、これらの周波数キャリアのおのおのは、１つまたは複数のサブキャリアを含むことができる。システム１００は、ＯＦＤＭＡやＣＤＭＡなどの多元接続スキームの組合せを利用することもできる。さらに、システム１００は、データおよびシグナリングが順方向リンクおよび逆方向リンクの上で送信される方法を指し示すために、様々なフレーミング構造を利用することができる。明確にするために、システム１００が利用することができるフレーミング構造の非限定的な例は、ここにおいてさらに詳細に説明される。
【００３０】
図２は、ここにおいて説明される様々な態様に従って信号取得を容易にするシステム２００のブロック図である。一態様に従って、システム２００は、順方向リンクおよび逆方向リンクの上で互いに通信することができる、１つまたは複数のアクセスポイント２１０と、１つまたは複数のアクセス端末２２０と、を含むことができる。一例においては、アクセスポイント２１０は、システム２００のカバレージ区域（例えば、セル１０２）においてアクセス端末２２０と直接に通信することができる。代わりに、１つまたは複数のアクセスポイント２１０は、１つまたは複数のアンテナグループ２１２を含むことができ、これらのアンテナグループのおのおのは、それぞれのアクセスポイント２１０に対応するカバレージ区域のセクタ（例えば、セクタ１０４）においてアクセス端末２２０と通信することができる。さらに、各アクセスポイント２１０および／またはアンテナグループ２１２は、１つまたは複数のアンテナ２１４〜２１６を含むことができ、そして各アクセス端末２２０は、１つまたは複数のアンテナ２２２を含むことができる。ただ１つのアンテナ２１４〜２１６だけが、各アクセスポイント２１０とアンテナグループ２１２とにおいて示され、そしてただ１つのアンテナ２２２だけが、簡略にするために各アクセス端末２２０において示されるが、任意の数のアンテナが使用されることができることを理解すべきである。
【００３１】
新しい接続が、様々な手段によりシステム２００において、アクセス端末２２０と、アクセスポイント２１０またはアンテナグループ２１２と、の間の通信のために確立されることができる。例えば、接続は、アクセス端末２２０が最初に電源投入されるときに、アクセス端末２２０が不連続送信(discontinuous transmission)（ＤＴＸ）のために「ウェイクアップ(wake up)」するときに、アクセス端末２２０がアクセスポイント２１０またはアンテナグループ２１２のカバレージ区域に入るときに、あるいは他の適切な手段により、確立されることができる。一態様に従って、アクセス端末２２０は、そのような接続が確立されることができる前に、取得プロセスを経由してアクセスポイント２１０またはアンテナグループ２１２との通信のために必要な情報を取得する必要がある。一例として、取得プロセスを経由して取得される情報は、システム２００についてのタイミングおよび同期化の情報、アクセスポイント２１０またはアンテナグループ２１２についてのタイミングおよび同期化の情報、アクセスポイント２１０またはアンテナグループ２１２の識別情報、および／または他の適切な情報に関連したものとすることができる。
【００３２】
一例においては、アクセスポイント２１０またはアンテナグループ２１２は、１つまたは複数の取得パイロットにおいて、通信のためのアクセス端末２２０によって必要とされる情報を供給することができる。次いで、これらの取得パイロットは、パイロットフィールド２３０を経由してアクセス端末２２０に対して通信されることができる。非限定的な例として、パイロットフィールド２３０は、１つまたは複数のＯＦＤＭシンボルとして送信されることができ、そしてスーパーフレームプリアンブルに、あるいはスーパーフレームの１つまたは複数の物理レイヤフレームに含められることができる。アクセスポイント２１０またはアンテナグループ２１２からのパイロットフィールド２３０を受信するとすぐに、アクセス端末２２０は、アクセスポイント２１０またはアンテナグループ２１２と通信するために必要とされる情報を取得するためにパイロットフィールド２３０における１つまたは複数の取得パイロットに関して相互に関係づけることができる。アクセス端末２２０によって実行される相関は、例えば、直接（すなわち、リアルタイム）相関、あるいは遅延相関(delayed correlation)とすることができる。
【００３３】
一態様に従って、パイロットフィールド２３０は、３つの取得パイロット（すなわち、ＴＤＭ１、ＴＤＭ２、およびＴＤＭ３）を含むことができる。一例においては、第１の取得パイロット（ＴＤＭ１）は、複数の期間に対応するあらかじめ決定された長さを有する周期的シーケンスとすることができる。別の例においては、ＴＤＭ１は、システム２００についての一般的なタイミング情報を供給するために、システム２００におけるすべてのアクセスポイント２１０とアンテナグループ２１２とに共通したものにすることができる。そのような一例においては、アクセス端末２２０は、同じ信号のマルチパスとして複数のアクセスポイント２１０および／またはアンテナグループ２１２から送信される共通のＴＤＭ１シーケンスを解釈することができる。したがって、共通のＴＤＭ１信号は、さらにシステム２００内の干渉の影響を低減させるために利用されることができる。追加して、かつ／または代わりに、ＴＤＭ１は、汎用チャープ状（ＧＣＬ）シーケンスやチュー(Chu)シーケンスなど、特に低いピーク対平均（ＰＡＲ）比を有するタイムドメインシーケンスとして、あるいは周波数ドメインシーケンスとして生成されることができ、それによってＴＤＭ１は、パワーが効率的にブーストされることができるようになる。
【００３４】
別の態様に従って、第２の取得パイロット（ＴＤＭ２）と、第３の取得パイロット（ＴＤＭ３）とは、等しい長さにすることができる。さらに、ＴＤＭ２とＴＤＭ３との長さは、ＴＤＭ１の１周期の長さに対応することもできる。一例においては、ＴＤＭ２とＴＤＭ３とは、生成するエンティティについての識別子に少なくとも部分的に基づいてアクセスポイント２１０および／またはアンテナグループ２１２によって生成されることができる。したがって、ＴＤＭ２とＴＤＭ３とは、シーケンスを生成したエンティティについての識別情報を供給するために利用されることができる。さらに、ＴＤＭ２とＴＤＭ３とは、シーケンスを生成したエンティティに特有のタイミング情報を供給するために利用されることもできる。別の例においては、ＴＤＭ２とＴＤＭ３とは、ＴＤＭ２とＴＤＭ３とを受信するアクセス端末２２０が、信号を生成したアクセスポイント２１０および／またはアンテナグループ２１２についての階層的検索を実行することを可能にするために、生成するエンティティについての識別子の異なる部分を使用して生成されることもできる。特定の非限定的な例として、ＴＤＭ２は、生成するエンティティについての識別子のいくつかのビットだけを使用して生成されることができ、ＴＤＭ３は、その識別子のすべてのビットを使用して生成されることができる。さらなる一例においては、ウォルシュシーケンスはまた、アクセス端末２２０が、ウォルシュ−アダマール変換(Walsh-Hadamard transform)を使用することにより、多数のアクセスポイント２１０および／またはアンテナグループ２１２から受信されるパイロットフィールド２３０に関して効率的に相互に関係づけることを可能にするために、ＴＤＭ２とＴＤＭ３とについて使用されることもできる。共通のスクランブリングコード(scrambling code)が、パイロットフィールド２３０の間の相互相関の影響を低減させるために、ＴＤＭ２とＴＤＭ３とに対して適用されることもできる。
【００３５】
図３は、様々な態様に従う一例のＴＤＭパイロットフィールド３１０の説明図である。一例においては、ＴＤＭパイロットフィールド３１０は、ワイヤレス通信システム（例えば、システム１００）における順方向リンクについてのパイロットおよびデータの送信スキームに関連して利用されることができる。そのような送信スキームにおいては、システムにおける各基地局（例えば、各基地局１１０）は、フレーム、スーパーフレーム、スーパーフレームプリアンブルの形で、かつ／または順方向リンクにおける他の適切な任意の手段により、パイロットを送信することができる。一態様に従って、パイロットフィールド３１０は、ＴＤＭパイロット３１２、３１４、および３１６を含むことができ、これらのパイロットフィールドのおのおのは、取得のために（例えば、アクセス端末１２０により）使用されることができる。
【００３６】
一例においては、ＴＤＭパイロット１（３１２）は、ＮＦＦＴ個のチップの全長を有するシーケンスとすることができる。別の例においては、システムにおける各セクタ（例えば、各基地局１２０および／またはセクタ１０４）は、ＴＤＭパイロット１について同じシーケンスを利用することができる。そのような一例においては、異なるセクタから送信されるパイロットシーケンスは、そのパイロットシーケンスを受信するアクセス端末と同じシーケンスのマルチパスとして見える可能性がある。さらに、そのような一例におけるアクセス端末は、システムのタイミングを決定するために、１つのパイロットシーケンスのタイミングを検出するために必要とされるだけの可能性がある。したがって、ＴＤＭパイロット１についての共通シーケンスを利用することは、システムタイミングが、ＴＤＭパイロット１についての共通シーケンスが使用されない場合に必要とされる可能性があるように、複数のシーケンスのタイミングを検出するために必要とされることになるよりも低い複雑度で決定されることを可能にすることができる。システムにおける各セクタがＴＤＭパイロット１についての共通のシーケンスを利用する場合の、さらなる態様に従って、各セクタにおけるＴＤＭパイロット１の送信は、同期式または非同期式にすることができる。
【００３７】
別の例においては、ＴＤＭパイロット１は、時間において周期的であり、あるいは代わりに周波数における「コーム(comb)」を占有することもできる。例えば、ＴＤＭパイロット１は、スーパーフレームプリアンブルにおいて、スーパーフレーム全体を通して、フレームにおいて、あるいはフレームプリアンブルにおいて周期的とすることができる。ＴＤＭパイロット１は、ＮＰＥＲＩＯＤＳ個の周期に対応するあらかじめ決定された長さのものとすることもでき、ここで、ＮＰＥＲＩＯＤＳは、あらかじめ決定された整数値である。一態様に従って、ＴＤＭパイロット１は、アクセス端末により、遅延相関および／またはより短いサイズのフーリエ変換（ＦＦＴ）などの技法の使用を容易にすることによりアクセス端末において周波数エラー訂正において支援するために複数の周期を用いて生成されることができる。さらなる一例においては、長さＮＦＦＴ／ＮＰＥＲＩＯＤＳの擬似雑音（ＰＮ）シーケンスが、ＴＤＭパイロット１の各周期について選択されることができる。代わりに、ＧＣＬシーケンスまたはチューシーケンスは、ＰＮシーケンスの代わりに使用されることもできる。さらに、ハイブリッド位相シフトキー(Hybrid Phase Shift Key)（ＨＰＳＫ）スクランブリングが、ＴＤＭパイロット１のピーク対平均比（ＰＡＲ）を低減させるためにＴＤＭパイロット１について使用されることができ、それにより、より効率的なパワーブースティング(power boosting)を可能にしている。
【００３８】
さらなる一態様に従って、ＴＤＭパイロット２（３１４）と、ＴＤＭパイロット３（３１６）とは、セクタ依存のＰＮシーケンスとすることができる。一例においては、ＴＤＭパイロット２と、ＴＤＭパイロット３とは、階層的検索を可能にする方法で選択されることができる。例えば、ＴＤＭパイロット２は、セクタＩＤのビットの一部分に基づいて生成されることができるが、ＴＤＭパイロット３は、セクタＩＤのすべてのビットに基づいて生成されることができる。したがって、ＴＤＭパイロット２は、システムにおけるセクタの一部分に共通する可能性があるが、ＴＤＭパイロット３は、各個別セクタに固有である。別の例においては、ＨＰＳＫスクランブリングは、パイロットのＰＡＲを低減させるために、そしてその上のパワーブースティングの効率を高めるために、ＴＤＭパイロット２と、ＴＤＭパイロット３とについて使用されることもできる。別の例においては、ウォルシュシーケンスは、ＴＤＭパイロット２と、ＴＤＭパイロット３とについて使用されることもでき、それによってアクセス端末は、例えば、ウォルシュ−アダマール変換を使用することにより、多数のセクタからのパイロットシーケンスと効率的に相互に関係づけることができるようになる。さらに、ウォルシュシーケンスの相互相関特性に対抗するために、スクランブリングコードは、システムにおけるセクタとは独立であるＴＤＭパイロット２と、ＴＤＭパイロット３とについてのウォルシュコードに対して適用されることができる。
【００３９】
ＴＤＭパイロット３１２〜３１６のサイズは、システムにおいて利用されるデータシンボルのサイズと同じ、あるいは異なるものとすることができることを、理解すべきである。さらに、巡回プレフィックスまたはゼロ−パッディングが、ＴＤＭパイロット３１２〜３１６について使用されてもよく、または使用されなくてもよいことを理解すべきである。さらに、ここにおいて使用されるように、ＰＮシーケンスは、任意の方法で生成されることができるチップの任意のシーケンスとすることができる。非限定的な例として、ＰＮシーケンスは、ジェネレータ多項式を用いて生成されることができる。追加の一例として、各基地局（例えば、各セクタ）についてのＰＮシーケンスは、データをランダム化するために使用されるスクランブリングコードとすることもできる。この例においては、ＴＤＭパイロット３１２〜３１６は、スクランブリングコードをオール１(all ones)またはオールゼロ(all zeros)のシーケンスに対して適用することにより、生成されることができる。
【００４０】
一態様に従って、端末は、信号の存在について検出し、粗いタイミングを取得し、かつ／または周波数エラーを推定するためにＴＤＭパイロット１を使用することができる。次いで、端末は、ＴＤＭパイロットを送信する特定の基地局を識別するために、そしてより正確なタイミングまたはタイミング同期化を取得するためにＴＤＭパイロット２および３を使用することができる。より一般的には、検出は、ＴＤＭパイロット１を検出することと、ＴＤＭパイロット１が検出される場合に、ＴＤＭパイロット２を検出することと、次いでＴＤＭパイロット２が検出される場合に、最終的にＴＤＭパイロット３を検出することと、を備えることができる。一例においては、ＴＤＭパイロット１は、タイムドメインにおいて周期的とすることができ、それによって端末は、ＴＤＭパイロット１の周期性（例えば、周期の数）に対して相互に関係づけることができるようになる。
【００４１】
特定の非限定的な例として、端末は、以下のようにＴＤＭパイロット１に関して相互に関係づけることができる。第１に、端末は、関数Ｘ（ｋ）を定義することができ、ここで、
（ｋ  ｍｏｄ  ＮＰＥＲＩＯＤＳ）＝０でない場合に、Ｘ（ｋ）＝０    （１）
である。したがって、ＮＰＥＲＩＯＤＳ＝２の場合の一例においては、偶数番号付けされたサブキャリアだけが、非ゼロ値を有することになる。これは、次のように表現されることができる。
【００４２】
Ｘ（２ｋ）＝ＳＴＤＭ１（ｋ）およびＸ（２ｋ＋１）＝０            （２）
式中で、ＴＤＭ１は、各周期がＳＴＤＭ１（ｔ）によって示される２つの周期を有する。次いでレシーバは、ＴＤＭ１の各周期に対して相互に関係づけるためにサイズＮＦＦＴ／２のＦＦＴを使用することにより、上記を利用することができる。次いで、関数ｙ（ｔ）は、長さＮＦＦＴ／２のタイムウィンドウにおける受信シーケンスとして定義されることができ、関数Ｙ（ｆ）は、サイズＮＦＦＴ／２の対応するＦＦＴとして定義されることができる。これらの関数を使用することによって、端末は、次式を使用することによりＦＦＴウィンドウにおけるＳＴＤＭ１（ｔ）との正規化された相関を見出すことができる。
【数１】
2009538576.tif 000003
【００４３】
次いで、端末は、次のＦＦＴウィンドウ、すなわちＣｏｒｒ（ｔ＋ＮＦＦＴ／２）から取得される相関と、式（３）において取得される相関を非コヒーレントに組み合わせることができる。次いで、組み合わされた相関は、総受信パワーによって正規化されることもできる。組み合わされた相関が、あらかじめ決定されたしきい値よりも大きい場合、端末は、ＴＤＭ１の１つのパスが検出されていることを主張することができる。次いで、端末は、ＴＤＭパイロット２とＴＤＭパイロット３とを逐次的に相互に関係づけるために、このタイミング仮説を使用することができる。ＴＤＭパイロット２および／またはＴＤＭパイロット３についての類似した組み合わされた相関があらかじめ決定されたしきい値よりも小さい場合には、端末は、対応するパイロット（単数または複数）が、検出されておらず、そして次のタイミング仮説（例えば、ｔ＝ｔ＋１の場合）へと進み、ここで以上のプロシージャが反復されることができることを主張することができる。
【００４４】
別の非限定的な例においては、端末は、効率的にＦＦＴベースのアプローチを使用してＴＤＭパイロット１についての上記相関を計算することができる。例えば、相関Ｃｏｒｒ（ｔ）からＣｏｒｒ（ｔ＋ＮＦＦＴ／２−１）のおのおのは、ＩＦＦＴ［ＳＴＤＭ１（ｆ）Ｙ（ｆ）］を計算することにより単一パスで近似されることができる。次いで、端末は、値、または代わりに選択された数の強いパス、のおのおのをあらかじめ決定されたしきい値と比較することができる。サンプルについて正規化された相関がしきい値を超過するときはいつでも、そのときにはサンプルは、ＴＤＭパイロット２とＴＤＭパイロット３との検出のために使用されることができる。さらに、ＴＤＭパイロット２とＴＤＭパイロット３とがウォルシュシーケンスを使用して設計される場合の特定の非限定的な例においては、低い複雑度のウォルシュ−アダマール変換が、同時に多数のセクタから受信されるシーケンスを相互に関係づけるために使用されることができる。
【００４５】
別の例においては、ＴＤＭパイロット１、ならびに可能な各セクタ仮説によって提供される各タイミング推定値では、対応するＴＤＭパイロット２シーケンスは、受信シーケンスと相互に関係づけられることができる。相関が、あらかじめ決定されたしきい値よりも大きい場合、検出プロセスは、ＴＤＭパイロット３についての相関へと進むことができ、これは、ＴＤＭパイロット２についての相関と同一である可能性がある。ＴＤＭパイロット３の相関が、ある種のタイミング仮説におけるあらかじめ決定されたしきい値もパスする場合には、端末は、セクタが、タイミング仮説に等しい、セクタの微細タイミングで取得されていることを宣言することができる。
【００４６】
一態様に従って、ＴＤＭパイロット３１２〜３１６は、周波数エラー訂正のために使用されることもできる。例えば、周波数のエラーおよび雑音が存在しない場合には、Ｃｏｒｒ（ｔ）は、Ｃｏｒｒ（ｔ＋ＮＦＦＴ／２）と同じになる。しかしながら、例えば位相ランプ(phase ramp)が端末における受信信号に対して適用されるようにする、アクセスポイントと端末との間のクロックミスマッチ(clock mismatch)に起因して、周波数エラーが、端末に存在する可能性がある。したがって、端末は、Ｃｏｒｒ（ｔ）とＣｏｒｒ（ｔ＋ＮＦＦＴ／２）との位相を比較し、それから周波数エラーを推定することができる。さらに、端末は、次いでカウンターバランシング位相ランプ(counter-balancing phase ramp)を適用することにより、周波数エラーについて訂正することもできる。
【００４７】
図４Ａは、周波数分割二重化(frequency division duplexing)（ＦＤＤ）を利用して多元接続ワイヤレス通信システム（例えば、システム１００）についての一例のスーパーフレーム構造４０２を示している。一例においては、スーパーフレームプリアンブル４１２は、各スーパーフレーム４１０の始めに送信される。代わりに、スーパーフレームプリアンブル４１２は、プリアンブルとミッドアンブルとしてスーパーフレーム４１０内に散在させられることができる。スーパーフレーム４１０は、順方向リンク(forward link)（ＦＬ）スーパーフレームとして示されているが、スーパーフレーム４１０は、代わりに逆方向リンクスーパーフレームとすることもできることを理解すべきである。
【００４８】
一例においては、各スーパーフレーム４１０は、一連のフレーム４１４によって追随されるスーパーフレームプリアンブル４１２から構成されることができる。ＦＤＤ構造４０２においては、逆方向リンク送信および順方向リンク送信は、順方向リンクおよび逆方向リンク上の送信が、与えられた任意の周波数サブキャリア上で実質的にオーバーラップするように異なる周波数を占有することができる。一態様に従って、スーパーフレームプリアンブル４１２は、全体的システム帯域幅内の１つのキャリアに及ぶことができ、各スーパーフレーム４１０、複数のスーパーフレーム４１０、固定された存続時間、または別の適切な存続時間についてホップすることができる。さらに、スーパーフレームプリアンブル４１２は、ホップのシーケンスまたはパターンに応じてホップすることができる。ホップのシーケンスまたはパターンは、アクセス端末（例えば、端末１２０）により、例えば、（ＰＮ）シーケンスなどのアクセスポイント（例えば、基地局１１０）についての識別子から決定されることができる。代わりに、スーパーフレームプリアンブル４１２は、システム帯域幅、またはたった１つのキャリアの内部のすべてのキャリアをホップしなくてもよく、そしてすべてのキャリアに及ぶこともできる。
【００４９】
別の例においては、スーパーフレームプリアンブル４１２は、アクセス端末によりチャネル推定のために使用されることができるパイロットを含むことができるパイロットチャネルを含むことができる。さらに、スーパーフレームプリアンブル４１２は、アクセス端末（例えば、端末１２０）が、順方向リンクフレーム４１４に含まれる情報を復調するために利用することができるコンフィギュレーション情報を含むブロードキャストチャネルを含むことができる。追加して、かつ／または代わりに、スーパーフレームプリアンブル４１２は、アクセス端末が、通信するのに十分なタイミング情報および他の情報、パワー制御情報、および／またはオフセット情報などの取得情報を含むこともできる。したがって、スーパーフレームプリアンブル４１２は、１つまたは複数の共通のパイロットチャネルと、システム情報およびコンフィギュレーション情報を含むブロードキャストチャネルと、タイミング情報および他の情報を取得するために使用される取得パイロットチャネルと、他のセクタに関してその測定された干渉のセクタからのインジケータを含むセクタ干渉チャネルと、を含むことができる。一例においては、パイロットチャネルは、ＴＤＭパイロット１、２、および３（例えば、ＴＤＭパイロット３１２〜３１６）を含むことができる。代わりに、ＴＤＭパイロットは、非チャネル化様式におけるスーパーフレームプリアンブル４１２の中に、あるいはスーパーフレーム４１０の別の部分の中にあってもよい。
【００５０】
一態様に従って、スーパーフレームプリアンブル４１２は、フレーム４１４のシーケンスによって追随されることができる。各フレーム４１４は、送信のために同時に利用されることができる、一様な、または非一様な数のＯＦＤＭシンボルと、一様な、または非一様な数のサブキャリアと、から構成されることができる。一例においては、各フレーム４１４は、シンボルレートホッピングモード(symbol rate hopping mode)４２２に応じて動作することができ、ここで、１つまたは複数の非連続ＯＦＤＭシンボルが、順方向リンクまたは逆方向リンクの上で端末に割り当てられる。代わりに、各フレーム４１４は、ブロックホッピングモード４２０に応じて動作することもでき、ここで端末は、ＯＦＤＭシンボルのブロック内でホップすることができる。ブロックホッピングモード４２０と、シンボルレートホッピングモード４２２との両方においては、ブロックまたはＯＦＤＭシンボルは、フレーム４１４の間でホップしてもよく、あるいはホップしなくてもよい。
【００５１】
別の態様に従って、スーパーフレーム４１０は、スーパーフレームプリアンブル４１２を利用しない可能性がある。一代替案においては、プリアンブルは、スーパーフレームプリアンブル４１２と同等な情報を含む１つまたは複数のフレーム４１４について提供されることができる。別の代替案においては、ブロードキャスト制御チャネルは、スーパーフレームプリアンブル４１２の情報の一部または全部を含むように利用されることができる。他の情報が、さらにフレーム４１４のプリアンブルまたは制御チャネルに含まれることもできる。
【００５２】
図４Ｂは、時分割二重化（ＴＤＤ）を利用した多元接続ワイヤレス通信システムについての一例のスーパーフレーム構造４０４を示している。一例においては、スーパーフレームプリアンブル４１２は、ＦＤＤ構造４０２におけるスーパーフレームプリアンブル４１２に構造および性能が実質的に類似している各スーパーフレーム４１０の始めに送信されることができる。一態様に従って、ＴＤＤ構造４０４における各スーパーフレームプリアンブル４１２は、順方向リンクフレーム４１４と、逆方向リンクフレーム４１６とのシーケンスによって追随されることができる。順方向リンクフレーム４１４と、逆方向リンクフレーム４１６とは、あらかじめ決定された数の順方向リンクフレーム４１４が、あらかじめ決定された数の逆方向リンクフレーム４１６の送信を可能にすることに先立って連続的に送信されるように、時間が分割されることができる。スーパーフレーム構造４０４において示されるように、順方向リンクスーパーフレーム４１０は、１つまたは複数の逆方向リンクフレーム４１６の送信中にミュート時間(mute time)を経験することになる。同様に、逆方向リンクスーパーフレームは、順方向リンクフレーム４１４の送信中にミュート時間を経験することになることを理解すべきである。さらに、任意の数の順方向リンクフレーム４１４と、任意の数の逆方向リンクフレーム４１６とは、スーパーフレーム構造４０４において連続して送信されることができることと、フレームの前記の数は、与えられたスーパーフレーム内において、あるいはスーパーフレーム間で変化することができることと、を理解すべきである。
【００５３】
さらに、各順方向リンクフレーム４１４は、ＦＤＤ構造４０２におけるフレーム４１４に類似した方法で送信するために同時に利用されることができる、一様な、または非一様な数のＯＦＤＭシンボルと、一様な、または非一様な数のサブキャリアと、から構成されることができる。一例においては、各順方向リンクフレーム４１４は、シンボルレートホッピングモード４２２に応じて動作することができ、ここで１つまたは複数の非連続的なＯＦＤＭシンボルは、順方向リンクまたは逆方向リンクの上の端末に割り当てられる。代わりに、各順方向リンクフレーム４１４は、ブロックホッピングモード４２０に応じて動作することができ、ここで端末は、ＯＦＤＭシンボルのブロック内でホップすることができる。ブロックホッピングモード４２０と、シンボルレートホッピングモード４２２との両方において、ブロックまたはＯＦＤＭシンボルは、順方向リンクフレーム４１４の間でホップしてもよく、あるいはホップしなくてもよい。
【００５４】
一態様に従って、スーパーフレーム４１０は、スーパーフレームプリアンブル４１２を利用しない可能性がある。一代替案においては、プリアンブルは、スーパーフレームプリアンブル４１２と同等な情報を含む１つまたは複数のフレーム４１４について提供されることができる。この情報は、例えば、ＴＤＭパイロット１、２、および３を含むことができる。別の代替案においては、ブロードキャスト制御チャネルは、スーパーフレームプリアンブル４１２の情報の一部または全部を含むように利用されることができる。他の情報が、さらにフレーム４１４のプリアンブルまたは制御チャネルに含まれることもできる。
【００５５】
図５Ａは、様々な態様に従う、一例の同期式順方向リンクパイロット送信スキーム５１０を示している。一態様に従って、システムにおける各基地局（例えば、各基地局１１０）が、同期しており、同時にそのＴＤＭパイロット（例えば、ＴＤＭパイロット３１２〜３１６）を送信するときに、ワイヤレス通信システム（例えば、システム１００）は、送信スキーム５１０を使用することができる。送信スキーム５１０によって示されるように、システムにおける各基地局は、それぞれの各基地局に対応する送信時系列５１２において１つまたは複数のフレーム５１４上でＰＮシーケンス５１６の形式でＴＤＭパイロットを送信することができる。したがって、端末（例えば、端末１２０）は、ほぼ同時刻にシステムにおけるすべての基地局からＴＤＭパイロットを受信することができる。基地局の間の任意のタイミングスキューは、伝搬遅延における差、および／または他のファクタに起因している可能性がある。一態様に従って、異なる基地局からのＴＤＭパイロットを同期化することにより、他の基地局によるデータ送信に対する１つの基地局からのＴＤＭパイロットによる干渉は、回避されることができるようになる。そのような干渉を回避することにより、システムにおけるデータ検出性能は、改善されることができる。さらに、ＴＤＭパイロットに対するデータ送信からの干渉は、同様に回避されることができ、これにより取得性能を改善している。
【００５６】
図５Ｂは、様々な態様に従う、一例のスタッガード順方向リンクパイロット送信スキーム５２０を示している。送信スキーム５２０は、例えば、システムにおける基地局が、同期しているが、それらのそれぞれの送信時系列５２２の、フレーム５２４内の異なる時刻にそれらのＴＤＭパイロットを送信し、その結果、ＴＤＭパイロットが、時間においてスタッガされる(staggered in time)ときに、利用されることができる。一例においては、基地局は、その結果として、それらが、それらのＴＤＭパイロットを送信する時刻により識別されることができる。一態様に従って、同じＰＮシーケンス５２６は、すべての基地局のために使用されることができる。各基地局は同じＰＮシーケンス５２６を利用することができるので、各端末における信号取得について必要とされる処理は、かなり減らされることができる。しかしながら、各基地局からのパイロット送信は、隣接する基地局からのデータ送信からの干渉を観察することができる。
【００５７】
図５Ｃは、様々な態様に従う、一例の非同期式順方向リンクパイロット送信スキーム５３０を示している。送信スキーム５３０は、例えば、システムにおける複数の基地局が、同期しておらず、各基地局が、その独立のタイミングに基づいてその対応する送信時系列５２２上でそのＴＤＭパイロット５３６を送信するときに、利用されることができる。したがって、異なる基地局からのＴＤＭパイロットは、異なる時刻に端末に到着することができる。
【００５８】
図５Ｄは、様々な態様に従う、一例の時間変化する順方向リンクパイロット送信スキーム５４０を示している。送信スキーム５４０は、例えば、ＴＤＭパイロット１についてシステムにおける各基地局に１組のＭＢ個のＰＮ１シーケンス５４６を割り当てることにより、利用されることができ、ここで、ＭＢ＞１である。次いで、各基地局は、そのそれぞれの送信時系列５４２において各フレーム５４４について１つのＰＮ１シーケンス５４６を使用し、そしてＭＢ個のフレーム５４４におけるＭＢ個のＰＮ１シーケンスを介して巡回させることができる。一例においては、時間変化する送信スキーム５４０は、同期式送信スキーム５１０に対する代替案として使用されることができる。同期式送信スキーム５１０に関して上記に指摘されるように、各基地局からのＴＤＭパイロット送信は、各フレーム５１４における、隣接する基地局からのＴＤＭパイロット送信から同じ干渉を観察することができる。したがって、複数のフレーム５１４にわたってＴＤＭパイロットを平均することは、同じ干渉が各フレームにおいて存在するので、利得を平均することを提供することができない。利得を平均することを提供するために、干渉は、時間変化する送信スキーム５４０によって示されるようにフレーム５４４を通してＴＤＭパイロットを変化させることにより変化させられることができる。
【００５９】
一例においては、異なる基地局には、異なる組のＭＢ個のＰＮ１シーケンス５４６が割り当てられることができる。各基地局に割り当てられるＭＢ個のＰＮ１シーケンス５４６の組は、さらに複数のフレーム５４４を通して広がる「ロングコード(long code)」として見なされることもできる。したがって、各組におけるＭＢ個のＰＮ１シーケンス５４６のおのおのは、ロングコードのセグメントとして考えられることができ、ロングコードについての異なるシード(seed)を用いて生成されることができる。端末における処理の複雑度を低減させるために、同じロングコードが、すべての基地局について使用されることができ、各基地局には、ロングコードの異なるオフセットが割り当てられることができる。例えば、基地局ｉには、ｋｉのロングコードオフセットが割り当てられることができ、ここでｋｉは、０からＭＢ−１の範囲内にある。したがって、指定されたフレーム５４４から開始される基地局ｉについてのＰＮ１シーケンス５４６は、次いでＰＮ１ｋｉ、ＰＮ１ｋｉ＋１、ＰＮ１ｋｉ＋２などとして与えられることができる。ひとたび、ＰＮ１シーケンス５４６またはロングコードオフセットが検出された後に、次いで、検出されたＰＮ１シーケンス５４６またはロングコードオフセットは、検出されたＰＮ１シーケンス５４６が属するＰＮ１シーケンス５４６の組を識別するために指定されたフレームに相対的にＰＮ１シーケンス５４６が検出されたフレームと一緒に使用されることができる。
【００６０】
図６〜７を参照すると、ワイヤレス通信システムにおける信号取得のための方法が、示されている。説明の簡単化の目的のために、本方法は、一連の動作として示され、説明されるが、いくつかの動作は、１つまたは複数の実施形態に従って、ここにおいて示され説明される順序とは異なる順序で、かつ／または他の動作と同時に行われる可能性があるので、本方法は、動作の順序によって限定されることはないことを理解し、認識すべきである。例えば、当業者は、方法が、代わりに状態図などの形の一連の相互に関連した状態またはイベントとして表されることができることを理解し認識するであろう。さらに、必ずしもすべての例示された動作は、１つまたは複数の実施形態に従って方法をインプリメントするために必要とされる可能性があるものとは限らない。
【００６１】
図６を参照すると、ワイヤレス通信システム（例えば、システム２００）において取得パイロット（例えば、ＴＤＭパイロット３１２〜３１６）を生成し、送信するための方法６００が、示されている。方法６００は、例えば、本システムにおける基地局（例えば、基地局２１０）および／またはアンテナグループ（例えば、アンテナグループ２１２）によって実行されることができる。方法６００は、ブロック６０２から開始され、ここで第１のパイロットシーケンス（例えば、ＴＤＭパイロット１（３１２））は、第１のタイムドメインパイロットシーケンスに基づいて生成される。一例においては、方法６００を実行するシステムにおける各エンティティは、ブロック６０２において、共通の第１のパイロットシーケンスに基づいて第１の取得パイロットを生成することができる。これは、例えば、本システムにおける１つまたは複数の端末（例えば、アクセス端末２２０）における干渉の影響を最小限にするように、かつ／または第１のパイロットシーケンスが本システムについての一般的なタイミング情報を供給することを可能にするように、行われることができる。さらに、第１の取得パイロットは、タイムドメインにおいて生成されることができ、あるいは代わりに、それは、それがシーケンスの効率的なパワーブースティングを可能にするあらかじめ決定されたしきい値より低いピーク対平均比を有するように、周波数ドメインにおいて生成されることもできる。
【００６２】
第１の取得パイロットが、ブロック６０２において生成された後に、方法６００は、ブロック６０４へと進み、ここで第２の取得パイロット（例えば、ＴＤＭパイロット２（３１４））が、第２のタイムドメインパイロットシーケンスに基づいて生成される。次いで、方法６００は、さらにブロック６０６へと進み、ここで第３の取得パイロット（例えば、ＴＤＭパイロット３（３１６））が、第３のタイムドメインパイロットシーケンスに基づいて生成される。一例においては、第２および第３の取得パイロットは、セクタＩＤ（例えば、方法６００を実行する基地局２１０またはアクセス端末２１２についての識別子）に基づいてさらにブロック６０４および６０６においてそれぞれ生成されることができる。セクタＩＤを使用して第２および第３の取得パイロットを生成することにより、第２および第３の取得パイロットは、パイロットを生成したエンティティについての識別情報を供給することができる。さらに、第２および第３のパイロットは、それらのパイロットを受信する端末が、それらのパイロットを生成したエンティティについての階層的検索を実行することができるように生成されることもできる。例えば、第２のパイロットは、セクタＩＤにおける一部分のビットに基づいたものとすることができ、第３のパイロットは、セクタＩＤのすべてのビットに基づいたものとすることができる。別の例においては、第２および第３のパイロットは、タイムドメインにおいて生成されることができ、あるいは代わりにそれらは、ブロック６０２において生成された第１のパイロットと同様な方法で周波数ドメインにおいて生成されることができる。第１、第２、および第３のパイロットが、それぞれブロック６０２、６０４、および６０６において生成された後に、それらは、ブロック６０８においてパイロットフィールド（例えば、パイロットフィールド２３０）において端末へと送信されることができる。
【００６３】
図７は、ワイヤレス通信システム（例えば、システム２００）における信号取得のための方法７００を示している。方法７００は、例えば、システムにおける端末（例えば、アクセス端末２２０）によって実行されることができる。方法７００は、ブロック７０２から開始され、ここで第１の取得パイロットを検出する試みが行われる。次に、第１のパイロットが検出されているかどうかについての決定が、ブロック７０４において行われる。この決定は、例えば、図３に関して上記に説明される信号検出およびタイミング仮説表現(timing hypothesis formulation)についてのアルゴリズムを使用することにより、行われることができる。第１のパイロットが検出されていないことがブロック７０４において決定される場合、方法７００は、第１のパイロットについて検索することを継続するためにブロック７０２へと戻る。
【００６４】
しかしながら、第１のパイロットが検出される場合、方法は、ブロック７０６へと進み、ここで、第２の取得パイロットを検出する試みが行われる。一例においては、ブロック７０６において実行される検出の試みは、検出される第１のパイロットに対応する推定されたパイロットフィールドを検索することを必要とする可能性がある。次いで、ブロック７０８において、第２のパイロットが検出されているかどうかについての決定が行われる。第２のパイロットが検出されていない場合、方法７００は、新しいパイロットフィールドについて検索するためにブロック７０２へと戻る。第２のパイロットが検出される場合、次いで、ブロック７１０において第３の取得パイロットを検出する試みが、行われることができる。一例においては、ブロック７１０において実行される検出の試みは、ブロック７０６において利用される同じ推定されたパイロットフィールドを検索することを必要とする可能性がある。次いで、方法７００は、ブロック７１２へと進み、ここで第３のパイロットが検出されているかどうかについての決定が行われる。第３のパイロットが検出されていない場合には、方法７００は、新しいパイロットについて検索するためにブロック７０２へと戻ることができる。
【００６５】
一態様に従って、第３のパイロットが検出されていることが、ブロック７１２において決定される場合、方法７００を実行するエンティティは、次いで３つの検出された取得パイロットに含まれる取得情報に基づいてアクセスポイントとの通信を開始することができる。より詳細には、方法７００は、ブロック７１２における肯定的な決定の後に、ブロック７１４へと進むことができ、ここでアクセスポイントは、検出されたパイロットを使用して通信のために識別される。ブロック７１４において識別されるアクセスポイントは、例えば、ブロック７０２〜７１２において受信されるパイロットを送信したアクセスポイントとすることができる。一例においては、パイロットは、アクセスポイントについての識別子に関連した情報を含むことができ、アクセスポイントは、この情報に基づいて識別されることができる。次いで、方法７００は、ブロック７１６において結論づけることができ、ここで方法７００を実行するエンティティは、ブロック７１４において検出されたパイロットに基づいて識別されたアクセスポイントと同期化することができる。一例においては、ブロック７０２〜７１２において受信されるパイロットは、システムのタイミング、および／または識別されたアクセスポイントのタイミングに関する情報を含むことができ、識別されたアクセスポイントとの同期化は、この情報に基づいて達成されることができる。
【００６６】
次に図８を参照すると、ここにおいて説明される１つまたは複数の実施形態が機能することができる一例のワイヤレス通信システム８００を示すブロック図が提供されている。一例においては、システム８００は、基地局１１０ｘと端末１２０ｘとを含むことができ、これらは、システム１００における基地局１１０と端末１１０とに対応することができる。一態様に従って、基地局１１０ｘは、ＴＸデータプロセッサ８１０を含むことができる。ＴＸデータプロセッサ８１０は、１つまたは複数のタイプのデータ（例えば、トラフィックデータ、パケットデータ、オーバーヘッドデータ、および／または制御データ）を受信することができ、データシンボルを生成するために受信データを処理する（例えば、符号化し、インタリーブし、かつ／またはシンボルマッピングする）ことができる。ここにおいて使用されるように、「データシンボル」は、データについての変調シンボルを意味し、「パイロットシンボル」は、パイロットについての変調シンボルを意味する（これは、例えば、基地局１１０ｘと端末１２０ｘとの両方によって先験的に知られているデータとすることができる）。さらに、ここにおいて、そして一般的に当技術分野において使用されるように、変調シンボルは、変調スキーム（例えば、Ｍ−ＰＳＫ、Ｍ−ＱＡＭ、...）についての信号コンステレーション(signal constellation)におけるポイントについての複素値である。次いで、ＯＦＤＭ変調器８２０は、１つまたは複数の適切なサブバンド上へとデータシンボルを多重化し、そしてＯＦＤＭシンボルを生成するために多重化されたシンボル上でＯＦＤＭ変調を実行することができる。
【００６７】
一例においては、基地局１１０ｘにおけるＴＸパイロットプロセッサ８３０は、タイムドメインにおいて、あるいは周波数ドメインにおいてＴＤＭパイロット（例えば、ＴＤＭパイロット３１２〜３１６）を生成することができる。次いで、マルチプレクサ（Ｍｕｘ）８３２は、サンプルのストリームをトランスミッタユニット（ＴＭＴＲ）８３４へと供給するためにＴＸパイロットプロセッサ８３０からのＴＤＭパイロットを受信し、それをＯＦＤＭ変調器８２０からのＯＦＤＭシンボルと多重化することができる。トランスミッタユニット８３４は、サンプルストリームをアナログ信号へと変換し、そして被変調信号を生成するためにアナログ信号をさらに条件づけする（例えば、増幅し、フィルタをかけ、かつ／または周波数コンバートする）ことができる。次いで、基地局１１０ｘは、システム８００においてアンテナ８３６から１つまたは複数の端末１２０ｘへと被変調信号を送信することができる。
【００６８】
別の態様に従って、端末１２０ｘは、アンテナ８５２を経由して基地局１１０ｘならびに１つまたは複数の他の基地局からの送信された信号を受信することができる。次いで、１つまたは複数の受信信号が、レシーバユニット（ＲＣＶＲ）８５４に対して供給されることができ、このレシーバユニットは、受信サンプルのストリームを生成するために各受信信号を条件づける（例えば、フィルタをかけ、増幅し、周波数ダウンコンバートし、かつ／またはデジタル化する）ことができる。同期化（ｓｙｎｃ）ユニット８８０は、１つまたは複数の基地局からの信号について検出し、さらに検出された各基地局のタイミングを決定するために、レシーバユニット８５４から受信サンプルを取得し、そして取得を実行することができる。Ｓｙｎｃユニット８８０はまた、ＯＦＤＭ復調器８６０および／またはコントローラ８９０に対してタイミング情報を供給することもできる。
【００６９】
端末１２０ｘにおけるＯＦＤＭ復調器８６０は、受信データとパイロットシンボルとを取得するためにｓｙｎｃユニット８８０からのタイミング情報に基づいて受信サンプルに対してＯＦＤＭ復調を実行することができる。さらに、ＯＦＤＭ復調器８６０は、基地局１１０ｘによって送信されるデータシンボルの推定値である検出されたデータシンボルを取得するために、チャネル推定値（例えば、周波数応答推定値）を有する受信データシンボルに対して検出および／またはマッチドフィルタリング(matched filtering)を実行することもできる。次いで、ＯＦＤＭ復調器８６０は、受信（ＲＸ）データプロセッサ８７０に対して検出されたデータシンボルを供給することができ、この受信データプロセッサは、検出されたデータシンボルを処理し（例えば、シンボルデマッピングし、デインタリーブし、かつ／または復号し）、復号されたデータを供給することができる。ＲＸデータプロセッサ８７０および／またはコントローラ８９０は、基地局１１０ｘによって送信される異なるタイプのデータを回復するために、さらにｓｙｎｃユニット８８０により供給されるタイミング情報を使用することもできる。
【００７０】
一例においては、端末１２０ｘに配置されるＯＦＤＭ復調器８６０およびＲＸデータプロセッサ８７０による処理は、基地局１１０ｘに配置されるＯＦＤＭ変調器８２０およびＴＸデータプロセッサ８１０による処理に対して一般的に相補的とすることができる。さらに、コントローラ８４０および８９０は、それぞれ基地局１１０ｘおよび端末１２０ｘにおいてオペレーションを指示することができる。メモリユニット８４２および８９２は、コントローラ８４０および８９０によってそれぞれ使用されるプログラムコードおよびデータについてのストレージを提供するためにそれぞれ基地局１１０ｘおよび端末１２０ｘについて設けられることもできる。
【００７１】
図９は、ここにおいて説明される様々な態様に従って、ワイヤレス通信システム（例えば、システム１００）においてパイロットシーケンス（例えば、ＴＤＭパイロット３１２〜３１６）を生成することと、送信することとを調整するシステム９００のブロック図である。一例においては、システム９００は、基地局またはアクセスポイント９０２を含んでいる。例示されるように、アクセスポイント９０２は、受信（Ｒｘ）アンテナ９０６を経由して１つまたは複数のアクセス端末９０４から信号（単数または複数）を受信し、送信（Ｔｘ）アンテナ９０８を経由して１つまたは複数のアクセス端末９０４に対して送信することができる。さらに、アクセスポイント９０２は、受信アンテナ９０６からの情報を受信するレシーバ９１０を備えることができる。一例においては、レシーバ９１０は、受信情報を復調する復調器（Ｄｅｍｏｄ）９１２に動作的に関連づけられることができる。次いで、復調されたシンボルは、プロセッサ９１４によって解析されることができる。プロセッサ９１４は、メモリ９１６に結合されることができ、このメモリは、アクセスポイント９０２、および／またはアクセスポイント９０２によってサーブされる１つまたは複数のセクタ（例えば、セクタ１０４）の識別情報に関連した情報、パイロットシーケンス、コードクラスタ、アクセス端末割当て、それに関連したルックアップテーブル、固有のスクランブリングシーケンス、および／または他の適切なタイプの情報を記憶することができる。一例においては、アクセスポイント９０２は、方法６００および／または他の適切な方法を実行するためにプロセッサ９１４を使用することができる。アクセスポイント９０２は、１つまたは複数のアクセス端末９０４に対する、送信アンテナ９０８を介したトランスミッタ９２０による送信のために信号を多重化することができる変調器９１８を含むこともできる。
【００７２】
図１０は、ここにおいて説明される様々な態様に従ってワイヤレス通信システムにおける信号取得を調整するシステム１０００のブロック図である。一例においては、システム１０００は、アクセス端末１００２を含んでいる。例示されるように、アクセス端末１００２は、１つまたは複数のアクセスポイント１００４からの信号（単数または複数）を受信し、アンテナ１００８を経由して１つまたは複数のアクセスポイント１００４に対して送信することができる。さらに、アクセス端末１００２は、アンテナ１００８からの情報を受信するレシーバ１０１０を備えることができる。一例においては、レシーバ１０１０は、受信情報を復調する復調器（Ｄｅｍｏｄ）１０１２に動作的に関連づけられることができる。次いで、復調されたシンボルは、プロセッサ１０１０によって解析されることができる。プロセッサ１０１０は、メモリ１０１６に結合されることができ、このメモリは、アクセス端末１００２に関連したデータおよび／またはプログラムコードを記憶することができる。例えば、メモリ１０１６は、１つまたは複数のパイロットシーケンスの検出と、検出されたパイロットシーケンスに基づいたアクセスポイント１００４の識別および／またはそれとの同期化と、に関連したデータおよび／またはプログラムコードを記憶することができる。さらに、アクセス端末１００２は、方法７００および／または他の適切な方法を実行するために、プロセッサ１０１０を使用することができる。アクセス端末１００２は、１つまたは複数のアクセスポイント１００４に対する、アンテナ１００８を経由したトランスミッタ１０２０による送信のために信号を多重化することができる変調器１０１８を含むこともできる。
【００７３】
図１１は、ワイヤレス通信システム（例えば、システム２００）において取得パイロットを生成することと、送信することとを容易にする装置１１００を示している。装置１１００は、機能ブロックを含むものとして表され、これらの機能ブロックは、プロセッサ、ソフトウェア、またはそれらの組合せ（例えば、ファームウェア）を表す機能ブロックとすることができることを理解すべきである。装置１１００は、アクセスポイント（例えば、アクセスポイント２１０）および／またはアンテナグループ（例えば、アンテナグループ２１２）と一緒にインプリメントされることができ、第１のタイムドメインパイロットシーケンス１１０２から第１の取得パイロットを生成するためのモジュールを含むことができる。装置１１００は、第２のタイムドメインパイロットシーケンスおよび／またはセクタＩＤ１１０４から第２の取得パイロットを生成するためモジュールと、第３のタイムドメインパイロットシーケンスおよび／またはセクタＩＤ１１０６から第３の取得パイロットを生成するためモジュールと、を含むこともできる。さらに装置１１００は、パイロットフィールド（例えば、パイロットフィールド２３０）においてアクセス端末（例えば、アクセス端末２２０）に対して生成されたパイロットを送信するためのモジュールを含むこともできる。
【００７４】
図１２は、ワイヤレス通信システム（例えば、システム２００）における信号取得を容易にする装置１２００を示している。装置１２００は、機能ブロックを含むものとして表され、これらの機能ブロックは、プロセッサ、ソフトウェア、またはそれらの組合せ（例えば、ファームウェア）によってインプリメントされる機能を表す機能ブロックとすることができることを理解すべきである。装置１２００は、アクセス端末（例えば、アクセス端末２２０）と一緒にインプリメントされることができ、第１、第２、および第３の取得パイロットをそれぞれ検出するためのモジュール１２０２、１２０４、および１２０６を含むことができる。装置１２００は、第１の検出された取得パイロット１２０８からシステムタイミングを推定するためのモジュールと、検出された取得パイロット１２１０を使用して通信のためのアクセスポイント（例えば、アクセスポイント２１０および／またはアンテナグループ２１２）を識別するためのモジュールと、検出された取得パイロット１２１２を使用して識別されたアクセスポイントと同期化するためのモジュールと、を含むこともできる。
【００７５】
ここにおいて説明される実施形態は、ハードウェア、ソフトウェア、ファームウェア、ミドルウェア、マイクロコード、あるいはそれらの任意の組合せによってインプリメントされることができることを理解すべきである。本システムおよび／または本方法が、ソフトウェア、ファームウェア、ミドルウェアまたはマイクロコード、プログラムコード、あるいはコードセグメントの形でインプリメントされるときに、それらは、ストレージコンポーネントなどの機械可読媒体に記憶されることができる。コードセグメントは、プロシージャ、ファンクション、サブプログラム、プログラム、ルーチン、サブルーチン、モジュール、ソフトウェアパッケージ、クラス、または命令の任意の組合せ、データ構造、あるいはプログラム文を表すことができる。コードセグメントは、情報、データ、引き数、パラメータ、またはメモリ内容を渡すこと、および／または受信することにより別のコードセグメントまたはハードウェア回路に結合されることができる。情報、引き数、パラメータ、データなどは、メモリ共有、メッセージパッシング、トークンパッシング、ネットワーク送信などを含めて適切な任意の手段を使用して、渡され、転送され、または送信されることができる。
【００７６】
ソフトウェアインプリメンテーションでは、ここにおいて説明される技法は、ここにおいて説明される機能を実行するモジュール（例えば、プロシージャ、ファンクションなど）を用いてインプリメントされることができる。ソフトウェアコードは、メモリユニットに記憶され、プロセッサによって実行されることができる。メモリユニットは、プロセッサの内部に、あるいはプロセッサの外部でインプリメントされることができ、この場合には、メモリユニットは、当技術分野において知られているような様々な手段を経由してプロセッサに通信的に結合されることができる。
【００７７】
上記に説明されたものは、１つまたは複数の実施形態の例を含んでいる。上記の実施形態を説明する目的のためにコンポーネントまたは方法の、あらゆる考えられる組合せについて説明することは、もちろん可能ではないが、当業者は、様々な実施形態のさらなる多数の組合せおよび置換が可能であることを、認識することができる。したがって、説明される実施形態は、添付の特許請求の範囲の精神および範囲の中に入るそのようなすべての変更、修正および変形を包含するように意図されている。さらに、用語「含む(includes)」が、詳細な説明または特許請求の範囲のいずれかにおいて使用される範囲においては、そのような用語は、用語「備えている(comprising)」が、請求項におけるトランジショナルワード(transitional word)として使用されるときに解釈されるように、用語「備えている(comprising)」と同様な方法で包含的であるように意図される。さらに、詳細な説明または特許請求の範囲のいずれかにおいて使用されるような用語「または(or)」は、「非排他的なまたは(non-exclusive or)」であるように意味される。
【図１】
2009538576.tif 000004
【図２】
2009538576.tif 000005
【図３】
2009538576.tif 000006
【図４Ａ】
2009538576.tif 000007
【図４Ｂ】
2009538576.tif 000008
【図５Ａ】
2009538576.tif 000009
【図５Ｂ】
2009538576.tif 000010
【図５Ｃ】
2009538576.tif 000011
【図５Ｄ】
2009538576.tif 000012
【図６】
2009538576.tif 000013
【図７】
2009538576.tif 000014
【図８】
2009538576.tif 000015
【図９】
2009538576.tif 000016
【図１０】
2009538576.tif 000017
【図１１】
2009538576.tif 000018
【図１２】
2009538576.tif 000019
【国際調査報告】
2009538576.tif 000020
2009538576.tif 000021
2009538576.tif 000022